(57)【要約】【課題】  機器内に設けた基板から引き出されるコードの損傷を防止する。【解決手段】  基板取付具２は、基板１６ａ、１６ｂが取り付けられる主面部８の縁の一部に少なくとも壁部２０、２２が設けられている。壁部２０、２２では基板２０、２２に配線されたコードが端に接触可能で前記主面の外部に引き出される。壁部２０、２２の端をヘミング曲げ加工してある。【選択図】  図１
2015090918.tif 000002
【特許請求の範囲】
【請求項１】
基板が取り付けられる主面と、
この主面の縁の一部に少なくとも設けられ、前記主面と所定の角度をなし、前記基板に配線されたコードが端に接触可能で前記主面の外部に引き出される壁部とを、
有し、前記壁部の前記端をヘミング曲げ加工した基板取付具。
【請求項２】
請求項１記載の基板取付具において、前記主面の一部が円弧状に形成されている基板取付具。
【請求項３】
請求項１記載の基板取付具において、前記主面は、一部が正面側から背面側に傾斜し、前記基板は前記主面に複数取り付けられ、前複数枚の基板の一部が、前記基板取付具の傾斜した部分に、取り付けられている基板取付具。
【請求項４】
請求項３記載の基板取付具において、前記主面の非傾斜部分に、表示部が構成されている基板が取り付けられている基板取付具。
【発明の詳細な説明】
【技術分野】
【０００１】
本発明は、例えば筐体内に基板を収容するために、基板が取り付けられる基板取付具に関する。
【背景技術】
【０００２】
例えば太陽光発電装置においてソーラパネルで発電した電力は電力調整器で調整され、電力会社の送電線に供給される。電力調整器ではその内部の構成部品間や外部への機器への接続のためにコードを使用することがある。例えば特許文献１の図３には、電力調整器のキャビネット内に配置した基板上の端子台が、この電力調整器が取り付けられている壁の内部に設けた接続箱にコードによって接続されていることが開示されている。なお、基板は、キャビネット内に設けた取付板に取り付けられている。
【先行技術文献】
【特許文献】
【０００３】
【特許文献１】特開２０１３−１１０９１１号公報
【発明の概要】
【発明が解決しようとする課題】
【０００４】
特許文献１の技術によれば、端子台と接続箱とを接続しているコードが、取付板の端に接触し、傷つくことがあった。このようなキャビネットの内部と外部との接続以外にも、キャビネット内にある部品間を接続するコードも、取付板の端に接触することがあり、やはり傷つくことがあった。配線は、その距離をなるべく短くすることが望ましいので、取付板の端に接触しやすく、コードは損傷しやすい。このようにコードに損傷が生じると、時間の経過と共にコードの断線に発展し、電力調整器のような電気機器の故障に繋がる虞がある。
【０００５】
本発明は、例えば電気機器のような機器の内部間での配線用のコードや機器の内部と外部との配線用のコードが損傷することを防止した基板取付具を提供することを目的とする。
【課題を解決するための手段】
【０００６】
本発明の一態様の基板取付具は、例えば電気機器等の筐体内に取り付けられる基板取付具を有している。この基板取付具は、それが有する主面に基板が取り付けられる。主面は、種々の形状とすることができ、例えば矩形、円形、Ｌ字状の形状とすることができ、当然に縁を有している。この主面の縁の少なくとも一部に、壁部が設けられている。壁部は、主面と所定の角度、例えば鋭角または鈍角または直角をなす。この壁部の端に、主面に取り付けられた基板に配線されたコードが接触可能で、主面の外部に引き出される。壁部の端はヘミング曲げ加工が施されている。
【０００７】
このように構成された基板取付具では、壁部の端がヘミング曲げ加工されているので、たとえ壁部の端にコードが接触したとしても、コードが傷つくことがない。
【０００８】
取付具の主面の一部を円弧状に形成することができる。例えば主面をＬ字状に形成した場合、水平部と垂直部との接合部を円弧状に形成することができる。このように構成すると、円弧状に形成した分だけ基板取付具の強度を増加させることができる。
【０００９】
強度が増加したことにより、基板を取り付けても主面は撓みにくくなり、壁部の端の位置が変化することはなく、たとえコードが壁部の端に接触していたとしても、コードの不要な力がかかることがなく、コードが断線しにくくなる。
【００１０】
取付具の主面の一部を、その正面側から背面側に傾斜させることができる。この場合、基板は、複数枚、取付具の主面に取り付けられ、主面の傾斜した部分に、複数の基板の一部のものが取り付けられている。
【００１１】
このように主面の一部を背面側に傾斜させることによって主面の断面２次モーメントが大きくなり、主面の強度が増加する。その結果、上述したのと同様にコードが断線しにくくなる。また、傾斜した部分に取り付けられる基板に、機器の操作部を構成していると、特に機器を壁に取り付けた場合、操作がしやすくなる。
【００１２】
更に、主面の非傾斜部分に、表示部が構成されている基板を取り付けることもできる。このように構成すると、表示部の表示内容を認識しやすくなる。
【発明の効果】
【００１３】
以上のように、本発明によれば、基板取付具に取り付けられた基板から引き出されるコードの損傷を防止することができる。
【図面の簡単な説明】
【００１４】
【図１】本発明の一実施形態の基板取付具の部分破断底面図である。
【図２】図１の基板取付具を取り付けた枠状体の部分破断正面図である。
【図３】図１の基板取付具の側面図である。
【発明を実施するための形態】
【００１５】
本発明の一実施形態の基板取付具２は、電気機器の筐体、例えば、図２に示すような電力調整器の筐体４内に設けられている。筐体４は、正面形状が概略矩形の枠状部６を有している。この枠状部６ａは、図２に示す水平部６ａと、これと平行に配置された別の水平部（図示せず）と、これら２つの水平部の一端間を繋ぐ垂直部６ｂと、２つの水平部の他端間を繋ぐ垂直部（図示せず）とを有し、これら２つの水平部の中途に跨るように横桟部６ｃを有している。この枠状部６の正面における水平部６ａと横桟部６ｃとの間の一方の端に寄った位置に基板取付具２が取り付けられている。
【００１６】
基板取付具２は、正面部８を有し、この正面部８は、正面形状が概略Ｌ字状の板状のもので、水平部８ａと、垂直部８ｂとを備えている。水平部８ａと垂直部８ｂとは、共に長方形状に形成され、正面から見た状態において直交している。水平部８ａの２つの長辺のうち一方のものに垂直部８ｂが接合され、その接合は、垂直部８ｂの２つの短辺のうち１つが前記水平部８ａの一方の長辺の一端側で行われ、この接合状態において水平部８ａの２つの短辺のうち一方の短辺と、垂直部８ｂの２つの長辺のうち一方とが連続している。この接合を円滑に行うように円弧状部８ｃが形成されている。この円弧状部８ｃを設けたことにより、基板取付具２の強度が増加している。
【００１７】
水平部８ａの垂直部８ｂと接合していない他方の長辺に長尺の取付部１０ａが設けられている。この取付部１０ａは、枠状部６の横桟部６ｃに載って、例えばネジ結合されている。また、水平部８ａの垂直部８ｂと接合している側にある短辺に形成した片状の取付部１２ａと、この短辺に連なる垂直部８ａの長辺に設けた片状の取付部１２ｂとが、枠状部６の垂直部６ｂに載って、例えばネジ結合されている。また、垂直部８ｂの水平部８ａと接合されていない短辺にも片状の取付部１０ｂが設けられ、これも枠状部６の水平部６ｃに載って、例えばネジ結合されている。
【００１８】
図３に示すように、垂直部８ｂは、水平部８ａよりも背面側に傾斜して形成されている。これは、取付具２の断面２次モーメントを大きくして、基板取付具２の強度を高めるためである。
【００１９】
水平部８ａには、その長さ方向に沿って２つの矩形の窓１４ａ、１４ｂが正背面方向に貫通するように形成され、垂直部８ｂにも、その長さ方向に沿って１つの矩形の窓１４ｃが正背面方向に貫通するように形成されている。この基板取付具２の正面部８には、基板、例えば複数、具体的には２枚の基板が一点鎖線で示すように取り付けられている。即ち、窓１４ａ、１４ｂに跨るように、この電力調整器の制御部の一部をなす表示部を備えた基板１６ａが配置され、窓１４ｃには、この電力調整器の制御部の一部をなす操作部を備えた基板１６ｂが配置され、それぞれ取り付けられている。
【００２０】
これら基板１６ａ、１６ｂは、相互にコードによって接続されており、また、それぞれ基板取付具２の外部にある電力調整器の図示していない基板や、筐体４の外部にコードによって接続されている。基板取付具２が枠状部６の一方の端に配置されている関係上、上述したコードは、水平部８ａの垂直部８ｂの長辺と繋がっていない短辺側から図示していない枠状部６の垂直部側に引き出されたり、水平部８ａにおける垂直部８ｂと一部が接合されている長辺のうち垂直部８ｂと非接合の部分や円弧状部８ｃから水平部６ａ側に引き出されたり、垂直部８ｂの長辺のうち水平部８ａの短辺と連なっていない長辺側から水平部６ａ側や図示していない枠状部６の垂直部側に引き出されたりしている。
【００２１】
基板取付具２では、主面部８の各縁に、主面部８と垂直に壁部が形成されている。即ち、図１に拡大して示すように主面部８の水平部８ａにおける取付部１０ａ側の長辺と取付部１０ａとの間に壁部１８が形成され、主面部８の水平部８ａにおける垂直部８ｂと非接合の短辺に壁部２０が形成され、水平部８ａのもう一方の長辺における垂直部８ｂとの非接合部分、円弧状部８ｃ、垂直部８ｂにおける長辺のうち水平部８ａの短辺と被接合のものに連ねて壁部２２が形成されている。なお、水平部８ａの残りの短辺と、これに連なる垂直部の残りの長辺とにも壁部が形成されている。
【００２２】
上述した各コードは、これら壁部のうち壁部２０、２２の端（正面部８から最も離れている端）を通過して引き出されることになるが、これら端にコードが接触することになる。このとき、壁部２０、２２の端によってコードが損傷を受ける可能性がある。そこで、図１に壁部２０を代表として示すように、壁部２０、２２の端は、ヘミング曲げ加工が矛されている。即ち、壁部２０、２２は、中途で正面部８側に折り曲げられ、その折り曲げ部分が非鋭角な円弧状とされている。従って、図１に２点鎖線でしめすようにコードが壁部２０、２２の端に接触したとしても、端が円弧状に形成されているので、端によって損傷されることはない。
【００２３】
また、正面部８の垂直部８ｂを水平部８ａに対して傾斜させて設けたり、円弧状部８ｃを設けたりすることによって正面部８の強度が増強されており、基板１６ａ、１６ｂを取り付けても、正面部８が撓むことがなく、壁部２０、２２の端にコードが接触していても、コードに壁部２０、２２によって力が加わることがなく、コードの断線を防止できる。
【００２４】
また、円弧状部８ｃを設けているので、枠状部６の水平部６ａと円弧状部８ｃとの間に、電力調整器において使用するコンデンサを配置する際に、スペースを有効利用することができる。もし、円弧状部８ｃに代えて矩形の補強部を設けたなら、円筒状のコンデンサを配置した場合、デッドスペースが生じるが、円弧状部８ｃを補強用に使用しているので、デッドスペースがたとえ生じたとしても、ごく僅かである。
【００２５】
また、傾斜させた垂直部８ｂに操作部を有する基板１６ｂを配置しているので、その操作部の操作が容易になる。また、傾斜していない水平部８ａに表示部を有する基盤１６ａを配置しているので、表示部の表示が見やすくなる。
【００２６】
なお、横桟６ｃと、図示していない水平部との間に、電力調整器において使用するインバータのスイッチング素子が取り付けられたヒートシンクが配置される。
【００２７】
上記の実施形態では、基板取付具２は、正面形状がＬ字状のものを使用したが、これに限ったものではなく、正面形状が矩形のものや円形のものを使用することもできる。また、端がヘミング曲げ加工された壁部２０、２２は、基板取付具２のコードが引き出される縁に設ければよく、例えば基板取付具２の枠状体６への取付位置が、図２に示すものと異なって、水平部８の短辺と垂直部の短辺とが連なっている部分からコードが引き出される場合には、この連なっている部分に、ヘミング曲げ加工した壁部を設ける。
【符号の説明】
【００２８】
２  基板取付具
８  正面部
２０  ２２  壁部
【図１】
2015090918.tif 000003
【図２】
2015090918.tif 000004
【図３】
2015090918.tif 000005